(57)【要約】【課題】把持部を把持したユーザの手に操作時に加わる負荷を低減できる電気掃除機を提供する。【解決手段】電気掃除機１は、把持部２と、吸込口体３と、剛体６と、重量物と、集塵装置５と、を備える。把持部２は、掃除動作の際に把持される。吸込口体３は、被掃除面上で掃除動作の際に移動する。剛体６は、把持部２と吸込口体３とを接続する。重量物は、把持部２が所定動作される際に、剛体６に対する摺動部を有することで、剛体６に非追従に配置される。集塵装置５は、吸込口体３から吸い込まれる含塵空気の導入口21が吸込口体３側、塵埃分離後の空気の排出口22が把持部２側に設けられる。【選択図】図１
2020081007.tif 000002
【特許請求の範囲】
【請求項１】
掃除動作の際に把持される把持部と、
被掃除面上で前記掃除動作の際に移動する吸込口体と、
前記把持部と前記吸込口体とを接続する剛体と、
前記把持部が所定動作される際に、前記剛体に対する摺動部を有することで、前記剛体に非追従に配置された重量物と、
前記吸込口体から吸い込まれる含塵空気の導入口が前記吸込口体側、塵埃分離後の空気の排出口が前記把持部側に設けられる集塵装置と、
を備えることを特徴とする電気掃除機。
【請求項２】
前記重量物は、二次電池、電動送風機、及び前記集塵装置のいずれかを少なくとも含む
ことを特徴とする請求項１記載の電気掃除機。
【請求項３】
前記剛体は、一端側が前記吸込口体に接続される延長管と、前記延長管の他端側に一端側が接続されるとともに、前記把持部側に他端側が接続される接続部と、を少なくとも備える
ことを特徴とする請求項２記載の電気掃除機。
【請求項４】
前記重量物の少なくとも一部が収容された掃除機本体を備え、
前記接続部は、前記掃除機本体を挿通する挿通部を備える
ことを特徴とする請求項３記載の電気掃除機。
【請求項５】
前記掃除機本体に、前記重量物としての前記二次電池および前記掃除機本体が収容されるとともに、前記重量物としての前記集塵装置が前記掃除機本体に着脱可能に設けられる
ことを特徴とする請求項４記載の電気掃除機。
【請求項６】
前記掃除機本体において、前記接続部の前記挿通部を避けて風路が形成されている
ことを特徴とする請求項４又は５記載の電気掃除機。
【請求項７】
前記延長管の軸線上に、前記接続部の前記挿通部と、前記接続部と前記把持部との接続箇所と、が形成されている
ことを特徴とする請求項４又は５記載の電気掃除機。
【請求項８】
前記重量物は、二次電池、及び電動送風機のいずれかを少なくとも含み、
前記剛体は、一端側が前記吸込口体に接続される延長管と、前記延長管の他端側に一端側が接続されるとともに、前記把持部側に他端側が接続される前記集塵装置と、を少なくとも備える
ことを特徴とする請求項１記載の電気掃除機。
【請求項９】
前記重量物は、前記把持部近傍に配置されている
ことを特徴とする請求項１ないし８いずれか一記載の電気掃除機。
【請求項１０】
前記所定動作は、捻り動作である
ことを特徴とする請求項１ないし９いずれか一記載の電気掃除機。
【発明の詳細な説明】
【技術分野】
【０００１】
本発明の実施形態は、ユーザに把持される把持部を備える電気掃除機に関する。
【背景技術】
【０００２】
ユーザが把持部を把持して先端部の吸込口体を床面上で走行させるスティック型の電気掃除機が広く知られている。把持部によって掃除機本体を保持するスティック型の電気掃除機の場合、掃除機本体に設けられた電動送風機や二次電池、あるいは集塵部等の重量物の荷重が把持部を操作する際に手元に加わる。そのため、特に吸込口体の進行方向を変える際等に把持部を捻ったときなどに重量物により大きなモーメントが発生すると、ユーザの手元への負荷が大きくなる。
【０００３】
これに対し、吸込口体を、掃除機本体に沿って配置した延長管、把持部を有する握り管、及びホースを介して掃除機本体に接続する電気掃除機において、掃除機本体を延長管に対し回動機構を介して接続することで、把持部の捻り動作に対し掃除機本体を非追従とした電気掃除機が知られている。しかしながら、この構成の場合、把持部から吸込口体に亘る延長管の軸線に対して掃除機本体が側方に大きく突出することとなるため、把持部の押し引き動作等、捻り動作以外の動作に対して電気掃除機が振り回されやすくなり、ユーザの手に加わる負荷を低減することが困難である。
【先行技術文献】
【特許文献】
【０００４】
【特許文献１】特開２００７−２６７７５８号公報
【発明の概要】
【発明が解決しようとする課題】
【０００５】
本発明が解決しようとする課題は、把持部を把持したユーザの手に操作時に加わる負荷を低減できる電気掃除機を提供することである。
【課題を解決するための手段】
【０００６】
実施形態の電気掃除機は、把持部と、吸込口体と、剛体と、重量物と、集塵装置と、を備える。把持部は、掃除動作の際に把持される。吸込口体は、被掃除面上で掃除動作の際に移動する。剛体は、把持部と吸込口体とを接続する。重量物は、把持部が所定動作される際に、剛体に対する摺動部を有することで、剛体に非追従に配置される。集塵装置は、吸込口体から吸い込まれる含塵空気の導入口が吸込口体側、塵埃分離後の空気の排出口が把持部側に設けられる。
【図面の簡単な説明】
【０００７】
【図１】第１の実施形態の電気掃除機を示す側面図である。
【図２】同上電気掃除機の一部を示す側面図である。
【図３】同上電気掃除機の風路構成を模式的に示す側面図である。
【図４】同上電気掃除機の把持部を操作した状態を示す斜視図である。
【図５】第２の実施形態の電気掃除機を示す側面図である。
【図６】図５のＩ−Ｉ相当位置の断面図である。
【図７】(a)ないし(c)は同上電気掃除機の集塵装置の異なる変位での風路の接続状態を模式的に示す平面図である。
【発明を実施するための形態】
【０００８】
(第１の実施形態)
以下、第１の実施形態について図１ないし図４を参照して説明する。
【０００９】
図１において、１は電気掃除機である。電気掃除機１は、ユーザが把持部２を把持して吸込口体３等により掃除動作を行うためのスティック型の電気掃除機１である。
【００１０】
電気掃除機１は、把持部２と、吸込口体３と、に加えて、掃除機本体である筐体部４と、集塵装置５と、把持部２と吸込口体３とを接続する剛体６と、を備えている。なお、以下、本実施形態においては、説明をより明確にするために、電気掃除機１のユーザに近い端部側を電気掃除機１の一方である後方側(矢印Ｒ方向）、ユーザから遠い端部側を電気掃除機１の他方側である前方側(矢印Ｆ方向)とし、第一方向となる前後方向に対して交差する両側方向又は幅方向を第二方向となる左右方向(図１の紙面に対して垂直な方向)とし、これら前後方向及び左右方向に対して交差する方向を第三方向となる上下方向(矢印Ｕ方向及び矢印Ｄ方向)として説明するが、上下方向は電気掃除機１の使用姿勢に応じて異なるため、必ずしも鉛直上下方向を意味するものではない。
【００１１】
把持部２は、電気掃除機１の掃除動作の際に把持される。把持部２は、電気掃除機１の後方側に位置する。把持部２は、一端部が自由端、他端部が剛体６の後側と接続される固定端となっている。把持部２は、本実施形態において、上下方向に沿って延びている。また、把持部２は、本実施形態において、他端部から一端部に向かい、徐々に前方に湾曲するように形成されている。また、把持部２には、好ましくは、電気掃除機１の起動及び停止や運転モード等を設定する手元操作部８が配置され、把持部２を把持した手によって手元操作部８が直接操作可能となっている。なお、手元操作部８は、把持部２に配置されるものに限られず、例えば筐体部４等の他の位置に配置されていてもよい。
【００１２】
吸込口体３は、電気掃除機１の前方側に位置する。吸込口体３は、把持部２に対して前方に離れて位置する。吸込口体３は、本実施形態において、吸込口を有するケース体10と、剛体６の前側と接続される接続管11とを備える床ブラシである。接続管11は、ケース体10に対して軸心周り方向、及び、軸心と交差する方向に回動可能に支持されている。そのため、接続管11は、ケース体10に対して、上下方向や左右方向等に回動可能となっている。
【００１３】
筐体部４には、集塵装置５に塵埃を吸い込むための電動送風機13が備えられている。また、筐体部４には、電動送風機13を制御する制御部14が備えられている。さらに、筐体部４には、電動送風機13及び制御部14等に電力を供給する電源部15が備えられている。また、筐体部４は、本実施形態において、剛体６が挿通される第一本体部17と、把持部２に対して並んで配置される第二本体部18と、集塵装置５が接続される接続受部19と、を備えている。なお、筐体部４の形状は、この形状に限られるものではなく、収容物の大きさや形状に応じて適宜設定できる。
【００１４】
電動送風機13は、吸気側が集塵装置５の下流側に接続され、排気側が筐体部４に形成された排気口に接続される。電動送風機13は、電動機、電動機により回転されるファン、これら電動機及びファンを収容するフレームやカバーを備え、電動機には電磁鋼板やコイル等の金属部材が用いられる。そのため、電動送風機13は、重量物であると言える。制御部14は、例えば回路基板上にマイコンや各種素子を実装した制御基板である。電動送風機13及び制御部14は、本実施形態において、第一本体部17に収容され、把持部２の下方側に近接して位置している。すなわち、本実施形態において、電動送風機13及び制御部14は、剛体６に対して下方側に配置されている。なお、電動送風機13及び制御部14の筐体部４における配置は、これに限られるものではなく、筐体部４のスペースを利用して適宜配置可能である。
【００１５】
電源部15は、例えば第二本体部18に収容され、把持部２の下方側に近接して位置しているとともに、電動送風機13及び制御部14に対して前後方向に並んで配置されている。すなわち、本実施形態において、電源部15は、剛体６に対して下方側に配置されている。つまり、電源部15は、剛体６から見て、電動送風機13及び制御部14と同側に配置されている。なお、電源部15の筐体部４における配置は、これに限られるものではなく、筐体部４のスペースを利用して適宜配置可能である。
【００１６】
また、電源部15は、本実施形態において、例えば二次電池が用いられる。すなわち、本実施形態の電気掃除機１は、電源内蔵型のコードレスの電気掃除機１である。本実施形態の電源部15は、複数の電池や基板を備える電池パックとして構成される。そのため、電源部15は、重量物であると言える。また、電源部15は、二次電池に限られず、外部電源から電源を取るためのコードリール装置等としてもよい。電源部15は、コードリール装置である場合でも、巻枠、ぜんまいばね、電源コード等を備えるため、重量物であると言える。
【００１７】
第一本体部17は、剛体６の後部側が挿通される部分である。第一本体部17は、把持部２に対して前方に位置している。本実施形態において、第一本体部17は、後部から前部に向かい上方に傾斜する傾斜部として形成されている。
【００１８】
第二本体部18は、第一本体部17の後部に連結され、把持部２の下方の位置で前後方向に沿って配置されている。第二本体部18は、第一本体部17に対して後方に延出している。第二本体部18の上方に把持部２が位置している。
【００１９】
接続受部19は、第一本体部17の前部に連結され、把持部２の前方に位置している。接続受部19は、集塵装置５が接続され、第一本体部17から上方に立ち上がった形状部分と第一本体部17から前方側に延出した形状部分とを有している。
【００２０】
集塵装置５は、電動送風機13の駆動により生じた負圧によって吸込口体３から吸い込まれた含塵空気から塵埃を分離して集積するものである。集塵装置５は、含塵空気の導入口21と塵埃が分離された空気の排出口22とが集塵装置５の同側に、集塵装置５の長手方向に並んで配置されている。導入口21は、吸込口体３と連通され、排出口22は、電動送風機13の吸込側と連通される。また、本実施形態の集塵装置５は、筐体部４に対し、接続受部19の位置で着脱可能となっている。本実施形態の集塵装置５は、剛体６に対して上方に配置されており、集塵装置５は、把持部２の前方に近接して位置しているとともに、剛体６から見て、電動送風機13、制御部14、及び電源部15と反対側に配置されている。図示される例では、集塵装置５は、長手方向を電気掃除機１の前後方向に沿わせて配置され、導入口21が吸込口体３側である集塵装置５の前側、排出口22が把持部２側である集塵装置５の後側に位置する。なお、集塵装置５の配置は、これに限られるものではなく、例えば電気掃除機１の上下方向に集塵装置５の長手方向を沿わせた配置等であってもよい。
【００２１】
また、集塵装置５としては、本実施形態において、サイクロン分離式の分離集塵部が用いられる。本実施形態の集塵装置５は、合成樹脂等の剛体により形成された複数のサイクロン分離部やフィルタ等が配置される。そのため、集塵装置５は、重量物であると言える。本実施形態では、導入口21が一端側である前方側に形成され、排出口22が他端側である後方側に形成されている。なお、集塵装置５としては、サイクロン分離式に限られるものではなく、濾過分離式、慣性分離式等、その他の既知の集塵装置５を適用可能である。
【００２２】
剛体６は、前後方向に沿って長尺に形成されている。剛体６は、本実施形態において、吸込口体３と接続される管体である延長管27と、延長管27と把持部２とを接続する接続部28と、を備えている。
【００２３】
延長管27は、前後方向に沿って軸線Ａを有する長尺の直管状に形成され、集塵装置５に塵埃を吸い込む風路をなしている。延長管27は、一端側である前端部が吸込口体３の接続管11と接続される。また、延長管27の後端部には、摺動部30が設けられる。摺動部30は、把持部２の動作により摺動して筐体部４に位置する電動送風機13及び電源部15や集塵装置５等の重量物を把持部２の予め決められた所定動作に対し非追従とするものである。ここで、「非追従」とは、単に把持部２の所定動作に追従しないことを意味するものであり、電動送風機13及び電源部15や集塵装置５等の重量物自体が固定されて動かないことを意味するものではない。本実施形態の摺動部30は、吸込口体３の走行方向の向きを変える把持部２の方向転換動作、例えば捻り動作に対し、電動送風機13及び電源部15や集塵装置５等の重量物を非追従とする。このとき、摺動部30の摩擦により重量物は多少変動するものの、把持部２の方向転換動作には追従しない。摺動部30は、延長管27の軸線Ａ上に位置している。さらに、摺動部30は、集塵装置５の導入口21に対して接続されている。本実施形態において、摺動部30は、集塵装置５の前側下部に配置されている。図示される例では、摺動部30は、延長管27と一体的に形成された筒状の第一摺動部32と、筐体部４と一体的に形成された筒状の第二摺動部33とを前後に同軸状に備え、第一摺動部32と第二摺動部33とが互いに軸周り方向に摺動可能となっている。摺動部30は、吸込口体３と集塵装置５とを接続する風路の一部をなしている。これら第一摺動部32と第二摺動部33との摺動箇所は、互いに摺動可能にシール部材によりシールされている。また、第二摺動部33は、その内部で風路が上方側に曲げられて集塵装置５の導入口21と接続される。集塵装置５の導入口21が、吸込口体３と把持部２との間に位置する。図示される例では、導入口21は、吸込口体３と把持部２とを接続する剛体６の延長管27の軸線Ａのやや上側に位置する。なお、摺動部30は、第一摺動部32と第二摺動部33とからなる構成に限られるものではなく、例えば三つ以上の筒状の部材を摺動可能に備える構成等でもよいし、集塵装置５の導入口21と摺動可能に直接接続される筒状に形成される構成等でもよい。
【００２４】
接続部28は、一端側である前端部が延長管27の他端側である後端部と接続される。また、接続部28は、摺動部30の前方の位置から延長管27に対して分岐され、他端側である後端部が、摺動部30を迂回して把持部２と連結されている。本実施形態において、接続部28は、摺動部30を迂回する迂回部35と、把持部２と連結される連結部36と、を備える。迂回部35は、例えば幅方向に見てコ字状に形成され、摺動部30を下方に迂回するように湾曲されている。連結部36は、迂回部35に対して接続され、延長管27と同軸又は略同軸となる直線状に形成されている。つまり、連結部36は、延長管27の軸線Ａに沿って配置されている。また、連結部36は、筐体部４の第一本体部17に対し前後方向に沿って挿通され、後部が把持部２と連結されている。
【００２５】
連結部36において第一本体部17を挿通している部分を挿通部38とし、これを説明する。挿通部38は、第一本体部17に形成された筒状の孔39を貫通して設けられており、第一本体部17の孔39の内面側と挿通部38とは、摺動可能に形成されている。挿通部38は、延長管６の軸線Ａ上に位置している。電源部15として二次電池を備えた第二本体部18は重たいので、把持部２を捻ると、連結部36の挿通部38が第一本体部17に対して摺動する。
【００２６】
また、挿通部38が挿通する部分は、第一本体部17が二手に分かれた中空の形状であって、第一本体部17の内面とは空間があってもよい。つまり、挿通部38は、第一本体部17とは摺動しなくてもよい。
【００２７】
ここで、剛体６と把持部２との接続構造を図２に示す。図２は電気掃除機１の後方側の説明図である。図２では、説明のために、把持部２を捻ったときに、非追従の部分に斜線を付して示している。また、図中において、P1，P2はそれぞれ摺動箇所である。摺動箇所P1は、第一摺動部32と第二摺動部33との摺動箇所であり、摺動箇所P2は、挿通部38と筐体部４の孔39との摺動箇所である。把持部２を捻ると、剛体６を構成する接続部28及び延長管27、延長管27に接続される吸込口体３(図１)は、その動作に連れて動き(追従し)、摺動箇所P1，P2を介して剛体６と摺動している第二摺動部32、集塵装置５、及び筐体部４と、筐体部４に収容される電動送風機13や電源部15(図１)と、はその動作には追従しない、
また、図３は電気掃除機１の後方側において、風路を模式的に説明する図である。風路は、図中の矢印Ｘに示すように、延長管27及び摺動部30から導入口21を介して集塵装置５と連通し、集塵装置５の排出口22から筐体部４の第一本体部17と連通し、筐体部４の内部を通って、挿通部38を避けて電動送風機13の吸込側と連通し、電動送風機13の排気側から、筐体部４の排気口を介して筐体部４の外部へと出るように形成されている。風路は、挿通部38を避ける構成において、例えば挿通部38の一側を通過するように形成されていてもよいし、挿通部38の両側に二手に分岐され、下流側で合流するように形成されていてもよい。
【００２８】
そして、本実施形態の電気掃除機１により掃除をする際には、ユーザが把持部２を把持し、手元操作部８を操作して電気掃除機１を起動させるとともに、吸込口体３を被掃除面で走行させて、電動送風機13の駆動により生じる負圧を利用して被掃除面上の塵埃を空気とともに吸い込む。把持部２を押し引きする操作により吸込口体３を前後方向、つまり剛体６の長手方向に移動させる際には、把持部２とともに筐体部４や集塵装置５も移動する。つまり、電動送風機13や電源部15、集塵装置５等の重量物は、把持部２の押し引き動作等には追従して吸込口体３等とともに前後に移動する。
【００２９】
一方、把持部２を用いた操作により、吸込口体３の走行の向きを変えたり、吸込口体３を狭い隙間に差し込んだりする場合には、例えば図４に示すように、ユーザは把持部２を掴んだ手Ｈを軸線Ａの周囲に捻る動作をすることで、把持部２と接続されている剛体６を介して吸込口体３の向きを変更することができる。
【００３０】
このとき、第１の実施形態によれば、電動送風機13や電源部15、集塵装置５等の重量物が把持部２の捻り動作に非追従に配置されているので、把持部２を捻っても電動送風機13や電源部15、集塵装置５等が位置を保ち、把持部２の捻り操作に対してこれら重量物によるモーメントが小さい。そのため、把持している電気掃除機１の重量そのものが変わらないことは当然であるが、重量物を動かしたり止めたりする力をユーザが手Ｈに加える必要がなく、把持部２を把持したユーザの手Ｈへの、特に手首への負荷が低減される。
【００３１】
また、図３に示したように、集塵装置５の導入口21が吸込口体３と把持部２との間の風路に沿った位置に設けられることで、風路をホース等で曲げてから集塵装置５に導く構成と異なり、剛体６に対して集塵装置５を大きく突出させることなく配置することが可能になり、電気掃除機１をコンパクトに構成できる。
【００３２】
このため、把持部２を把持したユーザが捻り動作以外の動作をした場合でも、電気掃除機１が重量物により振り回されにくくなり、把持部２を把持したユーザの手Ｈに操作時に加わる負荷を低減できる。
【００３３】
また、上記の把持部２の捻り動作の際には、摺動部30及び挿通部38が摺動して電動送風機13や電源部15、集塵装置５等の重量物が把持部２の捻り動作に追従しない。また、摺動部30は、吸込口体３と集塵装置５とを連通する風路に配置されるとともに、挿通部38は、延長管27の軸線Ａに沿って配置されているので、電気掃除機１の各部を剛体６周りにコンパクトに配置できる。
【００３４】
本実施形態では、剛体６の一部をなす延長管27に沿って摺動部30及び挿通部38が設けられているため、把持部２の捻り動作に対して摺動部30及び挿通部38を容易に摺動させることができ、電動送風機13や電源部15、集塵装置５等の重量物を把持部２の捻り動作に対し容易に非追従とすることができる。
【００３５】
また、把持部２は、延長管27と同軸の連結部36によって剛体６と接続されているため、把持部２の捻り動作を吸込口体３に伝達しやすく、操作性が良好である。
【００３６】
さらに、把持部２の近傍に、電動送風機13や電源部15、集塵装置５等の重量物を配置しているので、把持部２の近傍に電気掃除機１の重量が集中する。そのため、電気掃除機１の重量が把持部２から遠い位置に分散されている場合と比較して、把持部２を把持して操作する際の電気掃除機１の取り回しが良好で、操作性に優れる。
【００３７】
(第２の実施形態)
次に、第２の実施形態について図５ないし図７を参照して説明する。なお、上記第１の実施形態と同様の構成および作用については、同一符号を付してその説明を省略する。
【００３８】
本実施形態の電気掃除機１は、集塵装置５が延長管27と同軸状に接続され、集塵装置５と把持部２とが接続されている。すなわち、本実施形態においては、把持部２と吸込口体３とが延長管27及び集塵装置５により接続され、これら延長管27及び集塵装置５が「剛体」に対応する。
【００３９】
また、把持部２は、筐体部４の接続受部19に対し一端部が一体的に固定され、他端部が自由端状に延びている。
【００４０】
そして、集塵装置５を周回して覆い部材41が筐体部４と一体的に形成され、覆い部材41の内部で集塵装置５が変位する。図７(a)ないし図７(c)に示すように、集塵装置５の排出口22の幅W1が、筐体部４の第一本体部17への風路の入口42の幅W2よりも広くなっており、集塵装置５と第一本体部17との位置が把持部２の捻り動作に伴って相対的に変位した状態(図７の左右へ変位した状態)でも、排出口22と、入口42と、の連通が維持されることで、集塵装置５と、筐体部４の第一本体部17内の電動送風機13の吸込側と、の風路の接続が維持される。排出口22と入口42とは、互いに摺動可能にシール部材によりシールされている。
【００４１】
把持部２の所定動作に対して第一本体部17及び第二本体部18が非追従に構成されている。つまり、筐体部４は、接続受部19と第一本体部17との接続部に摺動部30を備えている。従って、筐体部４の第一本体部17及び／又は第二本体部18に収容される電動送風機13及び電源部15等の重量物が把持部２の所定動作、本実施形態では捻り動作に対して非追従となっている。
【００４２】
また、延長管27と集塵装置５との接続部は、含塵空気の導入口21となっている。導入口21は、吸込口体３と把持部２との間に配置されている。本実施形態において、導入口21は、集塵装置５の長手方向の端部に配置される。図示される例では、導入口21は、集塵装置５の一端側である前方側の端部に配置される。本実施形態の導入口21は、延長管27の軸線Ａ上に位置している。
【００４３】
このように、把持部２の捻り動作に非追従に重量物を配置するとともに、集塵装置５の導入口21を吸込口体３と把持部２との間の風路に沿った位置に設けることで、上記第１の実施形態と同様に、把持部２を捻っても電動送風機13や電源部15、集塵装置５等が位置を保ち、把持部２の捻り操作に対してこれら重量物によるモーメントが生じず、把持部２を把持したユーザの手Ｈへの、特に手首への負荷が低減される。また、剛体６に対して集塵装置５を大きく突出させることなく配置することが可能になり、電気掃除機１をコンパクトに構成できるので、把持部２を把持したユーザの手Ｈに操作時に加わる負荷を低減できる。
【００４４】
また、延長管27、集塵装置５、及び把持部２を軸線Ａ上に配置し、把持部２を筐体部４の接続受部19に接続することで、筐体部４に挿通部38等を設けることなく、電動送風機13や制御部14、電源部15を収容するスペースを筐体部４の内部に大きく取ることができ、筐体部４を小型化できる。また、筐体部４に収容された電動送風機13や制御部14、電源部15を延長管27の軸線Ａに近接させて配置できるので、電気掃除機１を小型軽量に構成できるとともに、把持部２の捻り動作以外の押し引き等の動作時にユーザの手に加わる負荷を低減できる。
【００４５】
なお、上記各実施形態において、剛体６は、管体を備える構成や、集塵装置５を備える構成に限られるものではなく、その他の任意の剛性を有する構造物によって吸込口体３と把持部２とを接続してもよい。
【００４６】
さらに、把持部２の所定動作に対し非追従となる重量物は、集塵装置５、電動送風機13、電源部15等に限られるものではなく、その他の任意の重量物を把持部２の所定動作に対し非追従となるように配置してよい。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１    電気掃除機
２    把持部
３    吸込口体
４    掃除機本体である筐体部
５    集塵装置
６    剛体
13    電動送風機
21    導入口
22    排出口
27    延長管
28    接続部
38    挿通部
【図１】
2020081007.tif 000003
【図２】
2020081007.tif 000004
【図３】
2020081007.tif 000005
【図４】
2020081007.tif 000006
【図５】
2020081007.tif 000007
【図６】
2020081007.tif 000008
【図７】
2020081007.tif 000009